(57)【要約】      （修正有）【課題】手触りが柔らかくて滑らかであり、優れた発熱機能を有し、良好な保湿、消臭や抗菌の機能を有し、且つ使用範囲が広い発熱・保湿性フランネル生地を提供する。【解決手段】発熱・保湿性フランネル生地は、下糸層２と、下糸層上に被覆される上糸層１と、を備え、下糸層は、アクリレート繊維混紡糸とフィラメント糸を合糸したアクリレート繊維混合機能性糸を経編したものであり、アクリレート繊維混紡糸が、アクリレート繊維と非アクリレート繊維を混紡してなり、下糸層は、アクリレート繊維混合機能性糸と普通糸を等割合で編んだものであり、上糸層は、絨毛から構成され、絨毛が下糸層上に編まれている。【選択図】図１
0003226553.tif 000002
【実用新案登録請求の範囲】
【請求項１】
発熱・保湿性フランネル生地であって、
下糸層と、前記下糸層上に被覆される上糸層と、を備え、前記下糸層は、アクリレート繊維混紡糸とフィラメント糸を合糸したアクリレート繊維混合機能性糸を経編したものである、
ことを特徴とする発熱・保湿性フランネル生地。
【請求項２】
前記下糸層は、アクリレート繊維混合機能性糸と普通糸とを等割合で編んだものであってもよい、
ことを特徴とする請求項１に記載の発熱・保湿性フランネル生地。
【請求項３】
前記アクリレート繊維混紡糸は、アクリレート繊維と非アクリレート繊維を混紡したものである、
ことを特徴とする請求項１に記載の発熱・保湿性フランネル生地。
【請求項４】
前記上糸層は、絨毛から構成され、前記絨毛が、前記下糸層上に編まれている、
ことを特徴とする請求項１に記載の発熱・保湿性フランネル生地。
【請求項５】
前記絨毛の長さが１ｍｍ〜１０ｍｍである、
ことを特徴とする請求項４に記載の発熱・保湿性フランネル生地。
【請求項６】
前記絨毛生地の坪量が１５０ｇ−５００ｇである、
ことを特徴とする請求項４に記載の発熱・保湿性フランネル生地。
【請求項７】
前記アクリレート繊維混紡糸の糸番手が４０Ｓ−６０Ｓである、
ことを特徴とする請求項１に記載の発熱・保湿性フランネル生地。
【請求項８】
前記フィラメント糸の糸番手が３０Ｄ−１００Ｄである、
ことを特徴とする請求項１に記載の発熱・保湿性フランネル生地。
【請求項９】
前記アクリレート繊維混合機能性糸の糸番手が１２０Ｄ−２２０Ｄである、
ことを特徴とする請求項１に記載の発熱・保湿性フランネル生地。
【考案の詳細な説明】
【技術分野】
【０００１】
本実用新案は、生地紡績分野に属し、具体的には、発熱・保湿性フランネル生地に関する。
【背景技術】
【０００２】
人々の生活水準が徐々に向上するに伴い、消費者は、冬に着用する生地の性能に対してますます高い要求を求めており、保湿・加熱機能を有する生地は、乾燥した寒い冬の主流製品となっている。
【０００３】
現在、吸湿性、発熱性及び保湿性を有する市販の生地は、主にレーヨン繊維材料であるが、その性能が現在の市場での需要を満たすことができない。したがって、発熱及び保湿の効果に優れたアクリレート繊維材料は、高い水分率の要因により、注目を集めており、プロセス改良によってその水分率が２０％〜３８％にも達し、その発熱・保湿機能がレーヨン繊維の２．５倍以上であり、且つ発熱性がウール素材よりも優れており、発熱・保湿機能に加えて、アクリレート繊維は、消臭及び抗菌の効果を有する。しかし、アクリレート繊維は、改質繊維であるため、染色が困難であり、それ自体がピンク色であり、繊維強度が低く、紡糸しにくいなどの欠点があり、それによりその用途が非常に制限されており、特に経編フランネルなどの起毛類家庭用製品の分野ではまだ使用されていない。
【考案の概要】
【考案が解決しようとする課題】
【０００４】
本実用新案は、上記従来技術における欠点を解決するために、発熱・保湿性フランネル生地を提供し、本実用新案では、糸の特性を向上させることによりアクリレート材料をフランネル生地に適用することで、このフランネル生地は、手触りが柔らかくて滑らかになり、発熱・保湿性を有する。
【課題を解決するための手段】
【０００５】
上記実用新案の目的を達成させるために、本実用新案は、以下の技術案によって実現される。
【０００６】
本実用新案は、発熱・保湿性フランネル生地を提供し、前記フランネル生地は、下糸層と、前記下糸層上に被覆される上糸層と、を備え、前記下糸層は、アクリレート繊維混紡糸とフィラメント糸を合糸したアクリレート繊維混合機能性糸を経編したものである。
【０００７】
さらに、前記下糸層は、アクリレート繊維混合機能性糸と普通糸とを等割合で編んだものであってもよい。
【０００８】
さらに、前記アクリレート繊維混紡糸は、アクリレート繊維と非アクリレート繊維を混紡したものである。
【０００９】
さらに、前記上糸層は、絨毛から構成され、前記絨毛が、前記下糸層上に編まれている。
【００１０】
さらに、前記絨毛の長さが１ｍｍ〜１０ｍｍである。
【００１１】
さらに、前記絨毛生地の坪量が１５０ｇ−５００ｇである。
【００１２】
さらに、前記アクリレート繊維混紡糸の糸番手が４０Ｓ−６０Ｓである。
【００１３】
さらに、前記フィラメント糸の糸番手が３０Ｄ−１００Ｄである。
【００１４】
さらに、前記アクリレート繊維混合機能性糸の糸番手が１２０Ｄ−２２０Ｄである。
【考案の効果】
【００１５】
従来技術に比べて、本実用新案は、以下の利点及び有益な効果を有する。
１、本実用新案の前記発熱・保湿性フランネル生地は、アクリレート繊維混紡糸を編んでなる下糸層、及び絨毛からなる上糸層から構成され、アクリレート繊維混紡糸は、アクリレート繊維、フィラメント糸及び非アクリレート繊維を合糸したものであり、前記アクリレート繊維混紡糸は、性能が向上し、アクリレート繊維材料の紡績が困難であり、経編生地の強度が低いという従来技術の問題を解決する。
２、本実用新案に係る前記フランネル生地は、手触りが柔らかくて滑らかであり、且つ用途が広範であり、衣服、カーペット、寝具など、さまざまな生活用品の製造に用いられ得る。市販のほかの吸湿・発熱性生地よりも、前記フランネル生地は２℃以上発熱でき、一般的な製品に比べて温度が４℃高く、また、この生地は、極めて優れた保湿性能を有し、さらに消臭や抗菌の作用も国家標準ＧＢ及び日本のＳＥＫ標準に達し、したがって、前記フランネル生地は、良好な性能及び使用感を有し、実際の応用価値及び応用の将来性が期待できる。
【図面の簡単な説明】
【００１６】
【図１】前記フランネル生地の構造模式図である。
【図２】前記アクリレート繊維混合機能性糸の合糸フローチャートである。
【図３】前記アクリレート繊維混合機能性糸を経糸と緯糸として下糸層を編んだ場合の模式図である。
【図４】前記アクリレート繊維混合機能性糸を経糸、普通糸を緯糸として下糸層を編んだ場合の模式図である。
【図５】前記アクリレート繊維混合機能性糸を緯糸、普通糸を経糸として下糸層を編んだ場合の模式図である。
【考案を実施するための形態】
【００１７】
以下、特定実施例にて本実用新案の技術案をさらに詳細に説明する。
【００１８】
実施例１
本実用新案の前記発熱・保湿性フランネル生地は、図１に示されるように、下糸層２と、前記下糸層２上に被覆される上糸層１と、を備える。前記下糸層２は、すべてアクリレート繊維混合機能性糸５を編んだものであり、又は、アクリレート繊維混合機能性糸５と普通糸６を編んだものであり、前記アクリレート繊維混合機能性糸５は、アクリレート繊維混紡糸３とフィラメント糸４を合糸したものである。上糸層１は、絨毛から構成され、前記上糸層１の絨毛が下糸層２上に編まれており、絨毛の長さが１ｍｍ〜１０ｍｍ、坪量が１５０ｇ−５００ｇに制御でき、用いられる絨毛の高さ、密度及び糸密度などが顧客のニーズに応じて適切に調整できる。
本実用新案の前記発熱・保湿性フランネル生地は、以下のステップにより製造される。
（１）２０％以上のアクリレート繊維と、レーヨン繊維、ポリエステルなどのほかの繊維などを混紡して、アクリレート繊維混紡糸３を製造する。
（２）ポリエステルフィラメント、ナイロンフィラメントなどの高強度のフィラメント糸４を準備する。
（３）図２に示されるように、前記アクリレート繊維混紡糸３とフィラメント糸４を合糸プロセスによりアクリレート繊維混合機能性糸５にする。
（４）製品に対する要求に応じて、すべて前記アクリレート繊維混合機能性糸５を経糸と緯糸として下糸層２（図３参照）を経編し、または、経糸又は緯糸のうちの一方を前記アクリレート繊維混合機能性糸５、他方を普通糸として経編して下糸層２（図４−５参照）を得る。
（５）絨毛を下糸層２に編んで、前記フランネル生地を得る。
【００１９】
なお、製造過程では、合糸するときに、加撚すると同時に高密度交絡点を作る必要があり、それによって、２本の糸の崩れを防止し、及び糸の強度を高めるような役割を果たし、それにより、製造されたアクリレート繊維混合機能性糸５の強度は、最高で３３０ＣＮに達する。また、合糸過程では、整経速度及び整経張力を適切に調整する必要があり、張力が大きすぎると、糸が過度に引っ張られてその強度が損なわれ、張力が小さすぎると糸が平坦に巻き取られず、生地の平坦さに悪影響を与え、このため、整経速度が２００−２５０Ｍ／ｍｉｎに制御される。また、受ける力のムラにより糸が分割し、糸切れを引き起こすことを回避するために、整経時にアクリレート繊維混紡糸３とフィラメント糸４の張力を一致させる。
糸が太すぎる場合にも、フランネルの下糸に対する要件を満足できないため、アクリレート繊維混紡糸３の糸番手が４０Ｓ−６０Ｓ、フィラメント糸４の糸番手が３０Ｄ−１００Ｄであることが要求され、したがって、製造されたアクリレート繊維混合機能性糸５の糸番手が１２０Ｄ−２２０Ｄであり、さらに、さまざまな坪量の起毛類製品に対するニーズを満たす。
【００２０】
本実用新案の前記発熱・保湿性フランネル生地は、用途が幅広く、衣服、カーペット、床上用品など、さまざまな生活用品の製造に用いられ得る。このフランネル生地は、類似した市販の吸湿・発熱性生地よりも温度が２℃以上高くなり、一般的な製品に比べて温度が約４℃高くなり、また、この生地は、優れている保湿性能を有し、且つ消臭や抗菌の作用も中国標準ＧＢや日本ＳＥＫ標準に達し、このため、本実用新案に係る前記フランネル生地は、ほかの製品よりも優れている性能及び使用感を有し、実際の応用価値及び応用の将来性が期待できる。
【００２１】
以上の実施例は、本実用新案の技術案を説明するために過ぎず、制限するものではなく、前述実施例を参照しながら本実用新案を詳細に説明したが、当業者であれば、前述実施例に記載の技術案を修正したり、その技術的特徴の一部に対して同等置換を行ったりすることができ、これら修正又は置換により、対応する技術案の本質が本実用新案により保護される技術案の趣旨及び範囲から逸脱することがない。
【符号の説明】
【００２２】
１、上糸層
２、下糸層
３、アクリレート繊維混紡糸
４、フィラメント糸
５、アクリレート繊維混合機能性糸
６、普通糸。
【図１】
0003226553.tif 000003
【図２】
0003226553.tif 000004
【図３】
0003226553.tif 000005
【図４】
0003226553.tif 000006
【図５】
0003226553.tif 000007
【手続補正書】
【提出日】令和2年4月1日(2020.4.1)
【手続補正１】
【補正対象書類名】実用新案登録請求の範囲
【補正対象項目名】全文
【補正方法】変更
【補正の内容】
【実用新案登録請求の範囲】
【請求項１】
発熱・保湿性フランネル生地であって、
下糸層と、前記下糸層上に被覆される上糸層と、を備え、前記下糸層は、アクリレート繊維混紡糸とフィラメント糸を合糸したアクリレート繊維混合機能性糸を経編したものであるか、又は、前記下糸層は、アクリレート繊維混合機能性糸と普通糸とを編んだものである、
ことを特徴とする発熱・保湿性フランネル生地。
【請求項２】
前記アクリレート繊維混紡糸は、アクリレート繊維と非アクリレート繊維を混紡したものである、
ことを特徴とする請求項１に記載の発熱・保湿性フランネル生地。
【請求項３】
前記上糸層は、絨毛から構成され、前記絨毛が、前記下糸層上に編まれている、
ことを特徴とする請求項１に記載の発熱・保湿性フランネル生地。
【請求項４】
前記絨毛の長さが１ｍｍ〜１０ｍｍである、
ことを特徴とする請求項３に記載の発熱・保湿性フランネル生地。
【請求項５】
前記絨毛生地の坪量が１５０ｇ−５００ｇである、
ことを特徴とする請求項３に記載の発熱・保湿性フランネル生地。
【請求項６】
前記アクリレート繊維混紡糸の糸番手が４０Ｓ−６０Ｓである、
ことを特徴とする請求項１に記載の発熱・保湿性フランネル生地。
【請求項７】
前記フィラメント糸の糸番手が３０Ｄ−１００Ｄである、
ことを特徴とする請求項１に記載の発熱・保湿性フランネル生地。
【請求項８】
前記アクリレート繊維混合機能性糸の糸番手が１２０Ｄ−２２０Ｄである、
ことを特徴とする請求項１に記載の発熱・保湿性フランネル生地。